(57)【特許請求の範囲】
【請求項１】
ケース本体と蓋体とがヒンジ機構により接続され、上記蓋体が開閉自在にされるようにした光ディスク収納箱において、
上記ヒンジ機構は、上記ケース本体側に円孔と、半円弧状溝とを有し、上記蓋体側には上記円孔と係合する第１の突起と、上記半円弧状溝と係合する第２の突起とを有して、上記ケース本体に対して上記蓋体が開閉自在にされ、
上記蓋体の開放位置では、上記第２の突起が上記半円弧状溝の端部に突き当たって上記ケース本体に対して水平状態に開放するようになされ、
上記ケース本体の側面部と該側面部より高く形成される前面部との連結部に、上記前面部の上端面と同等の高さから上記側面部の上端面まで略楔状に差し渡される補強壁が設けられて割れ防止機構とされた
ことを特徴とする光ディスク収納箱。
【発明の詳細な説明】
【０００１】
【発明の属する技術分野】
本発明は、光ディスク収納箱に係わる。
【０００２】
【従来の技術】
図４に、光ディスク、例えばゲームソフト、音楽用コンパクトディスク等のＣＤ−ＲＯＭを収納する光ディスク収納箱の開放状態における概略斜視図を示す。
【０００３】
図４に示すように、光ディスク収納箱１０は、光ディスクを収納するケース本体２０と、ケース本体２０を開閉する蓋体３０からなっており、ケース本体２０と蓋体３０とは、ヒンジ機構４０により、回動自在に連結されてなる。
ケース本体２０は、相対する側面部２０ａ1および２０ａ2と、これらの間に差し渡る背面部２０ｂ1および前面部２０ｂ2が、一体植立成型されてなる。
【０００４】
従来の光ディスク収納箱１０におけるヒンジ機構４０の概略斜視図を図５に示す。図５に示すように、従来のヒンジ機構４０においては、ケース本体２０の側面部２０ａ1および２０ａ2に、円孔２０ｈが形成されており、これに対応する蓋体３０の相対する側面部３０ａ1および３０ａ2に突起２０ｔが形成されている。
【０００５】
これら円孔２０ｈと突起２０ｔが、係合されてケース本体２０に対して蓋体３０の開閉が円滑になされるような構成となっている。
【０００６】
この場合、光ディスク収納箱１０の蓋体３０を開いた状態にしたとき、図６に示すように、ケース本体２０の底部の突出端縁２０ｅと、蓋体３０の相対する側面部３０ａ1および３０ａ2の後端面４０ａ1および４０ａ2とが、衝合してその最大開放状態が規制されるようになされている。そして、この場合、これらの衝合部は、シャープな形状をしているため、光ディスク収納箱１０を、ケース本体２０または蓋体３０のいずれか一方を持って持ち上げた場合においても、図7に示すように、光ディスク収納箱１０のケース本体２０と蓋体３０とは水平な位置関係を保つようになされている。
【０００７】
一方、図４に示すケース本体２０の側面部２０ａ１  および２０ａ２  と前面部２０ｂ２  とは互いに直角になる状態に連結されており、側面部と前面部の連結部２０ｃ（図４中、一点鎖線で囲まれた部分）は、図８中、点線で囲まれた部分に示すように、前面部２０ｂ２  の高さの略半分の高さの側面部２０ａ１  および２０ａ２  と連結された構成となっている。
【０００８】
一方、図９に示すように、この光ディスク収納箱１０は、ケース本体２０および蓋体３０の端部（稜線）１０ａ、１０ｂ、１０ｃ、１０ｄにおいて、シャープすなわち直角をなしている。
【０００９】
【発明が解決しようとする課題】
昨今、光ディスク収納箱１０を、見た目にソフトな印象にする目的で、光ディスク収納箱１０のケース本体２０および蓋体３０の端部（稜線）１０ａ、１０ｂ、１０ｃ、１０ｄやコーナー部を、図１０に示すように丸みをつけた滑らかな形状とした。
【００１０】
ところが、このように光ディスク収納箱１０のケース本体２０および蓋体３０の端部（稜線）１０ａ、１０ｂ、１０ｃ、１０ｄ等に丸みをつけると、図１１に示すように、ヒンジ機構４０において、蓋体の側面部の後端面４０ａ1および４０ａ2と、ケース本体の底部の突出端縁２０ｅとが衝合しなくなる。
【００１１】
かかる場合において、光ディスク収納箱１０の蓋体３０を開き、ケース本体２０側あるいは蓋体３０側を持って、光ディスク収納箱１０を持ち上げると、図１２に示すように光ディスク収納箱１０のケース本体２０と蓋体３０とは水平な位置関係で止まらず、さらに大きく開いた状態となる。
【００１２】
このような場合には、図１３に示すように光ディスク収納箱１０の蓋体３０側に、収納してある紙片や小冊子が自重により滑り落ちるおそれがある。
【００１３】
また、光ディスクの記録情報量の増大化に伴い、その光ディスクの記録情報の内容を説明するための説明書の量も増加し、光ディスク収納箱１０に収める小冊子のページ数が増え、その重量も増加傾向にある。
【００１４】
このため、光ディスク収納箱１０を落下させた場合に、光ディスク収納箱１０のケース本体２０の、特に側面部２０ａ１  および２０ａ２  と前面部２０ｂ２  との連結部２０ｃにおいて破損が生じやすい。
【００１５】
そこで、本発明は、光ディスク収納箱１０を落下させた場合に破損を生じることを防止するべく、ケース本体２０の、特に側面部２０ａ1および２０ａ2と前面部２０ｂ2との連結部２０ｃに、光ディスク収納箱１０の強度を強化する手段を設け、さらに、光ディスク収納箱１０を見た目にソフトな印象にするため光ディスク収納箱１０のケース本体２０および蓋体３０の端部（稜線）１０ａ、１０ｂ、１０ｃ、１０ｄや、コーナーに丸みをつけ、滑らかな形状としつつ、ヒンジ機構４０に、光ディスク収納箱１０のケース本体２０と蓋体３０とが水平な位置関係を保つような手段を設ける。
【００１６】
【課題を解決するための手段】
本発明は、ケース本体側の円孔に蓋体側の第１の突起が係合され、ケース本体側の半円弧状溝に蓋体側の第２の突起が係合されて、該蓋体が開閉自在にされ、蓋体の開放位置では第２の突起が半円弧状溝の端部に突き当たって水平状態に開放するようになされ、ケース本体の側面部とその側面部より高く形成される前面部との連結部に、前面部の上端面と同等の高さから側面部の上端面まで略楔状に差し渡される補強壁が設けられて割れ防止機構とされたことを特徴とする。
【００１７】
このような構成によれば、光ディスク収納箱の落下に対する強度を高めることができ、また、光ディスク収納箱の蓋体を開いた状態で、ケース本体側あるいは蓋体側を持って、持ち上げた場合にも、光ディスク収納箱のケース本体と蓋体とが水平な位置関係を保ち、光ディスク収納箱の中にある紙片、小冊子が滑落することを防止することができる。
【００１８】
【発明の実施の形態】
以下、本発明における光ディスク収納箱の実施の形態の例について、具体的に説明する。
以下に示す実施の形態の例は、直径１２ｃｍの円板状のＣＤ−ＲＯＭの収納箱について説明するが、本発明はこの例に限定されることなく、種々の形状の光学記録媒体の収納箱について適用することができる。
【００１９】
本例の光ディスク収納箱は、図１に示すように、ケース本体２５、蓋体３５、およびケース本体２５と蓋体３５を開閉自在に装着するヒンジ機構４５とを有し、ヒンジ機構４５において、ケース本体２５側に円孔と半円弧状溝を設け、蓋体３５側には第１の突起および第２の突起を設け、第１の突起が円孔と、第２の突起が半円弧状溝と係合するようにし、ケース本体２５の側面部２５ａ1および２５ａ2と前面部２５ｂ2との連結部２５ｃに、割れ防止機構２５ｄを設けた構成の光ディスク収納箱１５を得るものである。
【００２０】
本例の光ディスク収納箱１５は、見た目にソフトな印象にする目的で、光ディスク収納箱のケース本体２５および蓋体３５の端部（稜線）１０ａ、１０ｂ、１０ｃ、１０ｄや、コーナー部において、図１０および図１に示すように丸みをつけた滑らかな形状としてある。
【００２１】
図１に示すように、光ディスク収納箱１５は、光ディスクを収納するケース本体２５と、ケース本体２５を開閉する蓋体３５からなっており、ケース本体２５と蓋体３５とは、ヒンジ機構４５により、回動自在に連結されてなる。
ケース本体２５は、相対する側面部２５ａ1および２５ａ2と、これらの間に差し渡る背面部２５ｂ1および前面部２５ｂ2が、一体植立成型されてなる。
【００２２】
本例の光ディスク収納箱１５におけるヒンジ機構４５の概略斜視図を図２に示す。
図２に示すように、本例のヒンジ機構４５においては、ケース本体２５の側面部２５ａ1および２５ａ2に、円孔２５ｈと半円弧状溝２６ｈが設けられ、これに対応する蓋体３５の相対する側面部３５ａ1および３５ａ2に、第１の突起２５ｔおよび第２の突起２６ｔが設けられ、第１の突起２５ｔが円孔２５ｈと、第２の突起２６ｔが半円弧状溝２６ｈと係合するようになされている。
このようにして円孔２５ｈ内に第１の突起２５ｔが挿入係合されて、回動自在に軸支され、半円弧状溝２６ｈと第２の突起２６ｔとの係合により、その回動範囲が規制される。このようにして、光ディスク収納箱１５のケース本体２５に対する蓋体３５の開閉が円滑になされるようになっている。
【００２３】
また、ケース本体２５の側面部２５ａ１  および２５ａ２  と前面部２５ｂ２  との連結部２５ｃに、割れ防止機構２５ｄを設ける。
【００２４】
すなわち、光ディスク収納箱１５を開き、第２の突起２６ｔが半円弧状溝２６ｈの端部２６ａに達したとき、光ディスク収納箱１５のケース本体２５と蓋体３５とが水平な位置関係になるようになされ、これ以上開かないようになされている。すなわち、第２の突起２６ｔと半円弧状溝２６ｈの端部２６ａとがストッパーの役割をなしている。
【００２５】
次に、図1におけるケース本体２５の側面部２５ａ1および２５ａ2と、ケース本体２５の前面部２５ｂ2との連結部２５ｃの割れ防止機構２５ｄについて説明する。
図３は割れ防止機構２５ｄの斜視図を示す。
図３に示すように、ケース本体２５の前面部２５ｂ2は、この両端面で側面部２５ａ1および２５ａ2と連結され、前面部２５ｂ2の上端面は、側面部２５ａ1および２５ａ2の上端面より高く形成されている。そして、この割れ防止機構２５ｄは、図３に示すように、ケース本体２５の側面部２５ａ1および２５ａ2とケース本体２５の前面部２５ｂ2との連結部２５ｃにおいて、前面部２５ｂ2の上端面と同等の高さからこれより低い側面部２５ａ1および２５ａ2の上端面まで、略楔状をなし、なだらかな曲線により差し渡される補強壁が設けられてなる。
【００２６】
この割れ防止機構２５ｄとなる補強壁を設けたことにより、光ディスク収納箱１５のケース本体２５の強度の強化が図られ、光ディスク収納箱１５が落下した場合においても、その自重によりケース本体２５の前面部２５ｂ2との連結部２５ｃに割れが生じることを防止することができる。
【００２７】
以上のように、本例は、ケース本体２５、蓋体３５、およびヒンジ機構４５を有する光ディスク収納箱１５について、ヒンジ機構４５においてケース本体２５側には、円孔２５ｈと半円弧状溝２６ｈを設け、蓋体３５側には、第１の突起２５ｔと第２の突起２６ｔを設け、さらに、ケース本体２５の側面部２５ａ1および２５ａ2とケース本体２５の前面部２５ｂ2との連結部２５ｃに、割れ防止機構２５ｄを設けた構成の光ディスク収納箱１５を提供する。
【００２８】
本例の光ディスク収納箱によれば、光ディスク収納箱１５の落下に対する強度を高めることができ、また、光ディスク収納箱１５の蓋体３５を開いた状態で、ケース本体２５か蓋体３５のいずれか一方を持って、水平に持ち上げた場合にも、光ディスク収納箱１５のケース本体２５と蓋体３５とが水平な位置関係を保ち、光ディスク収納箱１５の中にある紙片、小冊子が滑落することを防止することができる。
【００２９】
また、本例の光ディスク収納箱によれば、半円弧状溝２６ｈと第２の突起２６ｔとの係合によって、その蓋体の開放状態の規制を確実に行うので、光ディスク収納箱１５を見た目にソフトな印象にする目的で、光ディスク収納箱１５のケース本体２５および蓋体３５の端部（稜線）１０ａ、１０ｂ、１０ｃ、１０ｄ等を、図１０に示すように丸みをつけた滑らかな形状とすることができ、光ディスク収納箱１５を、カバンやバッグ等に入れた時にも光ディスク収納箱１５により、他の部分を傷つけることを防止することができる。
【００３０】
【発明の効果】
本発明によれば、光ディスク収納箱のケース本体および蓋体の端部に丸みをつけたため、光ディスク収納箱が見た目にソフトな印象になり、また、光ディスク収納箱により他のものを傷つけることを防止できる。
【００３１】
また、本発明によれば、光ディスク収納箱について、ヒンジ機構においてケース本体側には円孔と、半円弧状溝を設け、蓋体側には、第１の突起と第２の突起を設けたため、光ディスク収納箱の蓋体を開いた状態で、ケース本体か蓋体のいずれか一方を持って、持ち上げた場合にも、光ディスク収納箱のケース本体と蓋体とが水平な位置関係を保ち、光ディスク収納箱の中にある紙片、小冊子が滑落することを防止することができる。
【００３２】
さらに、本発明によれば、ケース本体の側面部とケース本体の前面部との連結部において、割れ防止機構を設けたため、光ディスク収納箱の落下に対する強度を高めることができる。
【図面の簡単な説明】
【図１】本発明の光ディスク収納箱の概略斜視図を示す。
【図２】本発明の光ディスク収納箱のヒンジ部の斜視図を示す。
【図３】本発明の割れ防止機構の概略斜視図を示す。
【図４】従来の光ディスク収納箱の概略図を示す。
【図５】従来の光ディスク収納箱のヒンジ部を示す。
【図６】従来の光ディスク収納箱のヒンジ部を示す。
【図７】従来の光ディスク収納箱の側面図を示す。
【図８】従来の光ディスク収納箱のケース本体の側面部と前面部の連結部を示す。
【図９】従来の光ディスク収納箱の形状を示す。
【図１０】ケース本体および蓋体の端部に丸みをつけた光ディスク収納箱の形状を示す。
【図１１】ケース本体および蓋体の端部に丸みをつけたヒンジ機構の概略斜視図を示す。
【図１２】ケース本体および蓋体の端部に丸みをつけたヒンジ機構の概略斜視図を示す。
【図１３】ケース本体および蓋体の端部に丸みをつけた光ディスク収納箱の側面図を示す。
【符号の説明】
１０、１５  光ディスク収納箱、１０ａ、１０ｂ、１０ｃ、１０ｄ  端部、２０、２５  ケース本体、２０ａ1、２０ａ2、２５ａ1、２５ａ2  側面部、２０ｂ1、２５ｂ1  背面部、２０ｂ2、２５ｂ2  前面部、２０ｃ、２５ｃ  側面部と前面部との連結部、３０ａ1、３０ａ2、３５ａ1、３５ａ2  蓋体の側面部、２０ｅ  底部の突出端縁、２０ｈ、２５ｈ  円孔、２０ｔ  突起、２５ｄ  割れ防止機構（補強壁）、２５ｔ  第1の突起、２６ａ  半円弧状溝の端部、２６ｈ  半円弧状溝、２６ｔ  第２の突起、３０、３５  蓋体、３０ａ1、３０ａ2、３５ａ1、３５ａ2  蓋体の側面部、４０、４５  ヒンジ機構、４０ａ1および４０ａ2  蓋体の側面部の後端面
【図１】
0003581972.tif 000002
【図２】
0003581972.tif 000003
【図３】
0003581972.tif 000004
【図４】
0003581972.tif 000005
【図５】
0003581972.tif 000006
【図６】
0003581972.tif 000007
【図７】
0003581972.tif 000008
【図８】
0003581972.tif 000009
【図９】
0003581972.tif 000010
【図１０】
0003581972.tif 000011
【図１１】
0003581972.tif 000012
【図１２】
0003581972.tif 000013
【図１３】
0003581972.tif 000014